(57)【要約】【課題】スイッチ操作の履歴を記憶するためのメモリ機能を必要とすることなく、送信チャンネルを切り替えることが可能な送信機を提供すること。【解決手段】携帯機のマイコンは、解錠スイッチ（施錠スイッチ）が操作されたとき、ローリングカウンタ値を用いて解錠要求信号（施錠要求信号）に暗号をかける。そして、マイコンは、このように暗号をかけたときに用いたローリングカウンタ値が奇数であるとき、送信チャンネル（ＣＨ１）を選択するとともに、その送信チャンネル（ＣＨ１）による周波数で解錠要求信号（施錠要求信号）を送信する。また、マイコンは、暗号をかけたときに用いたローリングカウンタ値が偶数であるとき、送信チャンネル（ＣＨ２）を選択するとともに、その送信チャンネル（ＣＨ２）による周波数で解錠要求信号（施錠要求信号）を送信する。【選択図】図２
2008205702.tif 000002
【特許請求の範囲】
【請求項１】
該送信機に設けられたスイッチが操作される度にローリングカウンタ値をインクリメントするとともに、そのローリングカウンタ値を用いて該スイッチ操作に応じた信号に暗号をかけてそれを送信する送信機において、
該暗号をかけたときに用いたローリングカウンタ値に応じて送信チャンネルを選択するとともに、その送信チャンネルによる周波数で前記信号を送信することを特徴とする送信機。
【請求項２】
請求項１に記載の送信機において、
該暗号をかけたときに用いたローリングカウンタ値が奇数であるとき、２種類の送信チャンネルの一方を選択するとともに、該ローリングカウンタ値が偶数であるとき、２種類の送信チャンネルの他方を選択することを特徴とする送信機。
【発明の詳細な説明】
【技術分野】
【０００１】
本発明は、送信機能を有する送信機に関し、詳しくは、送信チャンネルを切り替えるときの動作に特徴を有する送信機に関する。
【背景技術】
【０００２】
特許文献１には、車両や住宅等のユーザが所持する携帯機の解錠スイッチ（施錠スイッチ）が操作されたとき、同携帯機と車両等に設けられる通信装置との間で無線通信が行われるとともに、それを通じてドアをいわば遠隔操作にて解錠（施錠）する、いわゆるワイヤレスシステムに関する技術が開示されている。
【０００３】
この種のシステムでは、例えば車両ユーザが所持する携帯機の解錠スイッチ（施錠スイッチ）が操作されたとき、車両に対してドアの解錠（施錠）を要求するための操作コードと、携帯機毎に個別に設定されたＩＤコードとを含む解錠要求信号（施錠要求信号）が携帯機から送信される。そして、この信号が車両側の通信装置で受信されるとともに、それに含まれているＩＤコードが、車両側に登録されている基準ＩＤコードと一致しているか否かの照合（ＩＤコード照合）が車両側で実行される。そして、両ＩＤコードが一致したとき、正規の携帯機が利用されたものとして扱われるとともに、同携帯機からの要求に応えるべく、ドアが解錠（施錠）されるようになっている。
【０００４】
ところで、種々の電波が飛び交う今の世の現状を考えたとき、携帯機から送信される解錠要求信号（施錠要求信号）の周波数に近い周波数帯の電波がノイズとなって該信号に干渉するようなことも考えられる。このような場合、解錠要求信号（施錠要求信号）がノイズの影響を受けて車両側で通信不良となることも考えられ、結果としてドアが解錠（施錠）されない虞がある。
【０００５】
そこで、このような不具合を解消するべく、解錠スイッチ等を特定の態様で操作することで、携帯機から送信される解錠要求信号（施錠要求信号）の周波数を変更できるようにし、一方の周波数での送信を試みるもそれが通信不良となったとき、他方の周波数での送信に切り替えるといったことが可能な携帯機に関する技術が提案されている（例えば、特許文献２を参照）。尚、こうした機能はマルチチャンネル機能と称されている。
【特許文献１】特開２００４−６８４４７号公報
【特許文献２】特願２００６−２３５７８２（段落番号００４６）
【発明の開示】
【発明が解決しようとする課題】
【０００６】
しかしながら、特許文献２で提案されている携帯機では、解錠スイッチ等が特定の態様で操作されたか否かを判断するために、解錠スイッチ等の操作を監視する必要がある。つまり、解錠スイッチ等によるスイッチ操作の履歴を記憶するためのメモリ機能が必要であり、それが必要でない携帯機と比較して構成がやや大掛かりなものとなる。
【０００７】
本発明は、このような問題点に着目してなされたものであって、その目的は、スイッチ操作の履歴を記憶するためのメモリ機能を必要とすることなく、送信チャンネルを切り替えることが可能な送信機を提供することにある。
【課題を解決するための手段】
【０００８】
上記の目的を達成するために、請求項１に記載の発明は、該送信機に設けられたスイッチが操作される度にローリングカウンタ値をインクリメントするとともに、そのローリングカウンタ値を用いて該スイッチ操作に応じた信号に暗号をかけてそれを送信する送信機において、該暗号をかけたときに用いたローリングカウンタ値に応じて送信チャンネルを選択するとともに、その送信チャンネルによる周波数で前記信号を送信することをその要旨としている。
【０００９】
同構成によると、スイッチが操作される度にインクリメントされるローリングカウンタ値に応じて送信チャンネルが切り替えられる。従って、スイッチ操作の履歴を記憶するためのメモリ機能を必要とすることなく、送信チャンネルを切り替えることができる。
【００１０】
請求項２に記載の発明は、請求項１に記載の送信機において、該暗号をかけたときに用いたローリングカウンタ値が奇数であるとき、２種類の送信チャンネルの一方を選択するとともに、該ローリングカウンタ値が偶数であるとき、２種類の送信チャンネルの他方を選択することをその要旨としている。
【００１１】
同構成によると、ローリングカウンタ値の偶奇（偶数／奇数）に応じて２種類の送信チャンネルを簡単に使い分けることができる。
【発明の効果】
【００１２】
本発明は、以上のように構成されているため、次のような効果を奏する。
本発明によれば、スイッチ操作の履歴を記憶するためのメモリ機能を必要とすることなく、送信チャンネルを切り替えることができる。
【発明を実施するための最良の形態】
【００１３】
以下、本発明を具体化した一実施形態を説明する。
図１に示すように、本実施形態の自動車には、ワイヤレスシステム１が適用されている。ワイヤレスシステム１は、車両ユーザが所持する携帯機２（送信側）と、車両側に設けられるセキュリティ装置３（受信側）との間での単方向通信が可能である。
【００１４】
携帯機２は、無線通信による送信機能を有するとともに、解錠スイッチ２１、施錠スイッチ２２、マイコン２３、送信回路２４、送信アンテナ２５を備えている。
解錠スイッチ２１は、自動車から離れた地点（本実施形態では、自動車から最長で１０ｍ離れた地点）でそれを操作することで、いわば遠隔操作によりドアを解錠させたい場合に操作されるものである。つまり、本実施形態では、自動車を中心とした半径１０ｍの範囲内で解錠スイッチ２１を操作することで、ドアを解錠できるようになっている。
【００１５】
施錠スイッチ２２は、自動車から離れた地点（本実施形態では、自動車から最長で１０ｍ離れた地点）でそれを操作することで、いわば遠隔操作によりドアを施錠させたい場合に操作されるものである。つまり、本実施形態では、自動車を中心とした半径１０ｍの範囲内で施錠スイッチ２２を操作することで、ドアを施錠できるようになっている。
【００１６】
マイコン２３は、不揮発性のメモリ２３ａを備えるとともに、そのメモリ２３ａには、携帯機２毎に個別に設定されたＩＤコード（携帯機２のＩＤコード）が記憶されている。そして、マイコン２３は、解錠スイッチ２１が操作されたとき、自動車に対してドアの解錠を要求するために、ドアの解錠を要求する旨の操作コード（解錠要求用操作コード）と携帯機２のＩＤコードとを含む信号（解錠要求信号）を生成する。そして、マイコン２３は、この解錠要求信号を送信回路２４に出力する。
【００１７】
また、マイコン２３は、施錠スイッチ２２が操作されたとき、自動車に対してドアの施錠を要求するために、ドアの施錠を要求する旨の操作コード（施錠要求用操作コード）と携帯機２のＩＤコードとを含む信号（施錠要求信号）を生成する。そして、マイコン２３は、この施錠要求信号を送信回路２４に出力する。
【００１８】
送信回路２４は、マイコン２３から入力された解錠要求信号や施錠要求信号を所定周波数の電波に変調する。送信アンテナ２５は、送信回路２４により変調された解錠要求信号や施錠要求信号を送信するための媒体である。
【００１９】
セキュリティ装置３は、無線通信による受信機能を有するとともに、受信アンテナ３１、受信回路３２、照合装置３３を備えている。
受信アンテナ３１は、携帯機２から送信されてくる解錠要求信号や施錠要求信号を受信するための媒体である。受信回路３２は、受信アンテナ３１により受信された解錠要求信号や施錠要求信号を復調して受信信号を生成するとともに、その受信信号を照合装置３３に出力する。尚、受信アンテナ３１により解錠要求信号が受信されたとき、受信回路３２から照合装置３３に出力される受信信号には、解錠要求用操作コードと携帯機２のＩＤコードとが含まれるとともに、受信アンテナ３１により施錠要求信号が受信されたとき、前記受信信号には、施錠要求用操作コードと携帯機２のＩＤコードとが含まれる。
【００２０】
照合装置３３は、不揮発性のメモリ３３ａを備えるとともに、そのメモリ３３ａには、セキュリティ装置３が搭載されている自動車に適合する携帯機２（＝正規の携帯機２）のＩＤコードと同一のＩＤコード（基準ＩＤコード）が記憶されている。
【００２１】
照合装置３３は、受信回路３２から入力された受信信号に基準ＩＤコードと一致するＩＤコードが含まれており、且つ同受信信号に解錠要求用操作コードが含まれているとき、正規の携帯機２によるドア解錠に関する要求があった旨を認識する。そして、照合装置３３は、このように認識したとき、ドア制御装置４０にドア解錠指令信号を出力する。その結果、ドア制御装置４０によりドアが解錠されることとなる。
【００２２】
また、照合装置３３は、受信回路３２から入力された受信信号に基準ＩＤコードと一致するＩＤコードが含まれており、且つ同受信信号に施錠要求用操作コードが含まれているとき、正規の携帯機２によるドア施錠に関する要求があった旨を認識する。そして、照合装置３３は、このように認識したとき、ドア制御装置４０にドア施錠指令信号を出力する。その結果、ドア制御装置４０によりドアが施錠されることとなる。
【００２３】
次に、携帯機２の特徴点について説明する。
本実施形態の携帯機２は、送信回路２４及び送信アンテナ２５を通じて解錠要求信号や施錠要求信号を送信するに際して、２種類の送信周波数でそれを送信できるようになっている。この理由は、一方の周波数での送信を試みるもそれが通信不良となったとき、他方の周波数での送信に切り替えることで、通信不良が回避されやすくなると考えられるからである。
【００２４】
尚、こうしたマルチチャンネル機能を携帯機２に持たせるための手法としては種々の方法が考えられるが、本実施形態では、解錠要求信号や施錠要求信号の秘匿性を高めるために行われる暗号化処理に供されるローリングカウンタ値を用いることとしている。このローリングカウンタ値は奇数と偶数とに大別されるとともに、解錠スイッチ２１や施錠スイッチ２２が操作される度にインクリメントされるようになっている。
【００２５】
さて、図２に示すように、マイコン２３は、解錠スイッチ２１（施錠スイッチ２２）が操作されたとき、ローリングカウンタ値を用いて解錠要求信号（施錠要求信号）に暗号をかける。
【００２６】
そして、マイコン２３は、このように暗号をかけたときに用いたローリングカウンタ値が奇数であるとき、２種類の送信チャンネル（ＣＨ１とＣＨ２）の一方（本実施形態ではＣＨ１）を選択するとともに、その送信チャンネル（ＣＨ１）による周波数（本実施形態ではｆ１）で解錠要求信号（施錠要求信号）を送信回路２４及び送信アンテナ２５を通じて外部に送信する。
【００２７】
また、マイコン２３は、暗号をかけたときに用いたローリングカウンタ値が偶数であるとき、２種類の送信チャンネル（ＣＨ１とＣＨ２）の他方（本実施形態ではＣＨ２）を選択するとともに、その送信チャンネル（ＣＨ２）による周波数（本実施形態ではｆ２）で解錠要求信号（施錠要求信号）を送信回路２４及び送信アンテナ２５を通じて外部に送信する。
【００２８】
その結果、図３に示すように、解錠スイッチ２１や施錠スイッチ２２が操作される度に送信チャンネルＣＨ１と送信チャンネルＣＨ２とが交互に選択されるとともに、それによる周波数で解錠要求信号や施錠要求信号が送信されることとなる。
【００２９】
以上、詳述したように本実施形態によれば、次のような作用、効果を得ることができる。
（１）解錠スイッチ２１（施錠スイッチ２２）が操作される度にインクリメントされるローリングカウンタ値に応じて送信チャンネル（ＣＨ１とＣＨ２）が切り替えられる。従って、スイッチ操作の履歴を記憶するためのメモリ機能を必要とすることなく、送信チャンネルを切り替えることができる。
【００３０】
（２）ローリングカウンタ値の偶奇（偶数／奇数）に応じて２種類の送信チャンネル（ＣＨ１とＣＨ２）を簡単に使い分けることができる。
（３）解錠スイッチ２１（施錠スイッチ２２）を操作するもドアが解錠（施錠）されないような場合、もう一度解錠スイッチ２１（施錠スイッチ２２）を操作すれば、送信周波数が変更されるので、ドアが解錠（施錠）される確率を高めることができる。
【００３１】
（４）解錠スイッチ２１（施錠スイッチ２２）が一度操作された時点で直ちにローリングカウンタ値は一義的に決まるとともに、それを用いて送信チャンネルが選択されるから、早い段階で送信チャンネルを切り替えることができる。つまり、特許文献２とは異なり、複数回に及ぶスイッチ操作（特定の態様でのスイッチ操作）が完了するまで待たずして送信チャンネルを切り替えることができる。
【００３２】
（５）ノイズにより通信不良となったとき、本実施形態とは異なり、送信周波数そのままに別のＩＤコードを含む電波を送信したとしても、その電波は、やはり前記ノイズの影響を受けることになる。つまり、ＩＤコードを変えたところで送信周波数が同じであれば、周辺環境を克服できず、よって通信相手先で通信不良となることに変わりはない。これに対して、本実施形態では、ＩＤコードを変更するのではなく送信周波数を変更しているので、周辺環境を克服できる可能性が高くなる。この点において特許文献１に対するメリットがある。
【００３３】
尚、前記実施形態は、次のように変更して具体化することも可能である。
・前記実施形態では、ローリングカウンタ値の偶奇と送信チャンネルの偶奇とを一致させたが（例えば、前者が偶数なら後者も偶数）、必ずしもそうでなくてもよい。即ち、ローリングカウンタ値が偶数のとき、送信チャンネルＣＨ１（奇数）を選択するとともに、ローリングカウンタ値が奇数のとき、送信チャンネルＣＨ２（偶数）を選択するようにしてもよい。
【００３４】
・解錠スイッチ２１が操作された後、施錠スイッチ２２が操作されたとき、前者と後者とでは、暗号化処理に供されるローリングカウンタ値の偶奇が異なるから、このような場合、互いに異なる送信チャンネルが選択されることは勿論である。尚、施錠スイッチ２２が操作された後、解錠スイッチ２１が操作されたときも同様である。
【００３５】
・携帯機２のような送信機に設けられるスイッチは、解錠スイッチ２１や施錠スイッチ２２に限定されないことは言うまでもない。
【図面の簡単な説明】
【００３６】
【図１】本実施形態の自動車に適用されるワイヤレスシステムの構成を示すブロック図。
【図２】ローリングカウンタ値の偶奇に応じて２種類の送信チャンネルが使い分けられる様子を示す概念図。
【図３】解錠スイッチや施錠スイッチが操作される度に送信チャンネルが切り替えられる様子を示す概念図。
【符号の説明】
【００３７】
２…携帯機（送信機）、２１…解錠スイッチ（スイッチ）、２２…施錠スイッチ（スイッチ）。
【図１】
2008205702.tif 000003
【図２】
2008205702.tif 000004
【図３】
2008205702.tif 000005